(57)【要約】      （修正有）【課題】液晶装置等の電気光学装置が有する画素部の電位変動を低減する。【解決手段】有効領域に設けられた有効画素部１０ｅと、ダミー領域に設けられたダミー画素部１０ｄと、検査回路２００，走査線駆動回路１０４，及びデータ線駆動回路１０１から成るプリチャージ信号生成回路を備え、前記ダミー画素部１０ｄにダミー信号を供給するべきダミー信号供給期間に、選択的にプリチャージ信号を複数のデータ線３に供給する様にした。【選択図】図３
2008122747.tif 000002
【特許請求の範囲】
【請求項１】
基板上に、有効領域及びダミー領域を含む画素領域に互いに交差して設けられた複数のデータ線及び複数の走査線と、前記有効領域において前記データ線及び前記走査線の交差に対応して設けられた有効画素部と、前記ダミー領域に設けられたダミー画素部とを備えた電気光学装置を駆動するための電気光学装置用駆動回路であって、
所定電位のプリチャージ信号を生成するプリチャージ信号生成回路と、
前記ダミー画素部にダミー信号を供給するべきダミー信号供給期間に、選択的に前記プリチャージ信号を前記複数のデータ線に供給するプリチャージ信号供給手段と
を備えたことを特徴とする電気光学装置用駆動回路。
【請求項２】
前記プリチャージ信号供給手段に電気的に接続された画像信号線を介して供給される画像信号をサンプリングすることによって前記画像信号を前記データ線に供給する複数のサンプリングスイッチを含むサンプリング回路とを備え、
前記プリチャージ信号供給手段は、前記サンプリング回路が前記画像信号をサンプリングする際の基準となるサンプリングパルスの元になる転送パルスの幅よりも狭いパルス幅を持つと共にイネーブル信号供給線を介して供給されるイネーブル信号と、前記転送パルスとに基づいて前記サンプリングパルスを出力するイネーブル回路を有し、
前記イネーブル回路は、前記ダミー信号供給期間において、前記複数のサンプリングスイッチのうち前記ダミー画素部に電気的に接続されたサンプリングスイッチを除く他のサンプリングスイッチを介して、前記複数のデータ線のうち前記有効画素部に電気的に接続されたデータ線に前記プリチャージ信号を供給すること
を特徴とする請求項１に記載の電気光学装置用回路。
【請求項３】
前記プリチャージ信号生成回路は、前記基板上に形成された回路部を検査するために設けられた検査回路部であること
を特徴とする請求項１又は２に記載の電気光学装置用回路。
【請求項４】
基板上に、互いに交差して設けられた複数のデータ線及び複数の走査線と、前記データ線及び前記走査線の交差に対応して設けられた複数の画素部とを備えた電気光学装置を駆動するための電気光学装置用駆動回路であって、
前記複数のデータ線に電気的に接続されており、前記複数の画素部に画像信号を供給する画像信号供給回路部と、
前記基板上に前記画像信号供給部とは別に設けられ、且つ前記複数のデータ線に電気的に接続されており、前記画像信号供給回路部が前記複数のデータ線のうち一のデータ線に一の画像信号を供給してから、前記一のデータ線の次に他の画像信号が供給されるべき他のデータ線に前記他の画像信号が供給されるまでの期間に、前記他のデータ線にプリチャージ信号を供給するプリチャージ信号供給手段と
を備えたことを特徴とする電気光学装置用駆動回路。
【請求項５】
前記プリチャージ信号供給手段は、
転送信号を順次出力するシフトレジスタと、
前記転送信号に基づいて生成されたサンプリング回路駆動信号に応じて、前記プリチャージ信号を前記他のデータ線に供給するサンプリングスイッチを含むサンプルホールド回路とを有すること
を特徴とする請求項４に記載の電気光学装置用駆動回路。
【請求項６】
基板上に、有効領域及びダミー領域を含む画素領域に互いに交差して設けられた複数のデータ線及び複数の走査線と、前記有効領域において、前記データ線及び前記走査線の交差に対応して設けられた有効画素部と、前記ダミー領域に設けられたダミー画素部とを備えた電気光学装置を駆動するための電気光学装置の駆動方法であって、
所定電位のプリチャージ信号を生成するプリチャージ信号生成ステップと、
前記ダミー画素部にダミー信号を供給するべきダミー信号供給期間に、選択的に前記プリチャージ信号を前記複数のデータ線に供給するプリチャージ信号供給ステップと
を備えたことを特徴とする電気光学装置の駆動方法。
【請求項７】
基板上に、互いに交差して設けられた複数のデータ線及び複数の走査線と、前記データ線及び前記走査線の交差に対応して設けられた複数の画素部とを備えた電気光学装置を駆動するための電気光学装置の駆動方法であって、
前記複数のデータ線に電気的に接続された画像信号供給回路部によって、前記複数の画素部に画像信号を供給する画像信号供給ステップと、
前記基板上に前記画像信号供給部とは別に設けられ、且つ前記複数のデータ線に電気的に接続されたプリチャージ信号供給手段によって、前記画像信号供給回路部が前記複数のデータ線のうち一のデータ線に一の画像信号を供給してから、前記一のデータ線の次に他の画像信号が供給されるべき他のデータ線に前記他の画像信号が供給されるまでの期間に、前記他のデータ線にプリチャージ信号を供給するプリチャージ信号供給ステップと
を備えたことを特徴とする電気光学装置の駆動方法。
【請求項８】
請求項１から５の何れか一項に記載の電気光学装置用駆動回路を備えたこと
を特徴とする電気光学装置。
【請求項９】
請求項８に記載の電気光学装置を具備してなること
を特徴とする電子機器。
【発明の詳細な説明】
【技術分野】
【０００１】
本発明は、例えば、液晶装置等の電気光学装置に搭載される電気光学装置用駆動回路、及びその駆動方法、並びに、そのような電気光学装置用駆動回路を備えた電気光学装置、及び液晶プロジェクタ等の電子機器の技術分野に関する。
【背景技術】
【０００２】
この種の電気光学装置は、一般に、シリアル−パラレル変換された画像信号に基づいて駆動される。例えば、液晶装置において、基板上の画像表示領域に配線された複数のデータ線は所定の本数毎にブロック化されており、シリアル−パラレル変換された画像信号は、ブロック単位で、該ブロックに含まれるデータ線にサンプリングスイッチを介して供給される。これにより、所定の本数のデータ線が同時に、且つ複数のデータ線は所定の本数毎に順次駆動される。更に、この種の電気光学装置では、大なり小なり配線容量を有するデータ線を介して画素部に画像信号を書き込む際におけるサンプリング回路の書き込み能力を補うことが望まれる。このため、例えば画像信号の帰線期間中など、画像信号に先行して所定電位のプリチャージ信号を、データ線に書き込むプリチャージが行われるのが一般的である。特許文献１乃至３によれば、プリチャージ信号を所定のタイミングでデータ線に供給することによって、液晶装置の表示性能の向上、及び基板上に形成される各種回路の小型化を図っている。
【０００３】
【特許文献１】特開平５−７３０００号公報
【特許文献２】特開平１０−１４３１１３号公報
【特許文献３】特開２００４−２４６３７１公報
【発明の開示】
【発明が解決しようとする課題】
【０００４】
しかしながら、同一のデータ線に電気的に接続され、互いに隣接する走査線から供給される走査信号に応じて画素スイッチング用素子がオンオフされることによって画像信号が供給される画素部では、これら画素部の夫々に供給される画像信号の電位の相違に応じて画素部間でリーク電流が生じてしまい、電気光学装置の表示性能を低下させてしまう技術的問題点がある。より具体的には、例えば、データ線に沿って相隣接して配置され、且つ当該データ線に電気的に接続された２つの画素部の夫々は、仮に、画像信号に係る帰線期間で一括してプリチャージを行った場合でも、所定の画素電極電位を維持する一方の画素部と、他方の画素部との電位差に応じて、これら画素部相互でリーク電流が生じうる時間が大なり小なり存在することになる。
【０００５】
よって、本発明は、上記問題点に鑑み成されたものであり、例えば適切なタイミングでプリチャージを行うことで、高品質な画像表示を行うことが可能な電気光学装置用駆動回路、及びその駆動方法、並びに電気光学装置、及び電子機器を提供することを課題とする。
【課題を解決するための手段】
【０００６】
本発明の第１の発明に係る電気光学装置用駆動回路は上記課題を解決するために、基板上に、有効領域及びダミー領域を含む画素領域に互いに交差して設けられた複数のデータ線及び複数の走査線と、前記有効領域において前記データ線及び前記走査線の交差に対応して設けられた有効画素部と、前記ダミー領域に設けられたダミー画素部とを備えた電気光学装置を駆動するための電気光学装置用駆動回路であって、所定電位のプリチャージ信号を生成するプリチャージ信号生成回路と、前記ダミー画素部にダミー信号を供給するべきダミー信号供給期間に、選択的に前記プリチャージ信号を前記複数のデータ線に供給するプリチャージ信号供給手段とを備える。
【０００７】
本発明の第１の発明に係る電気光学装置用駆動回路によれば、ダミー領域は、典型的には、基板上の表示領域のうち端に設けられた領域であり、当該電気光学装置用駆動回路によって画像を表示する電気光学装置の動作時において、実質的に画像表示に寄与しないダミー画素部が配列されてなる。有効領域は、典型的には、基板上の表示領域のうちダミー領域より中央寄りの領域であり、画像表示に寄与する有効画素部が配列されてなる領域である。
【０００８】
本発明の第１の発明に係る電気光学装置用駆動回路は、その動作時に、複数のデータ線には、有効水平走査期間（即ち、画像信号のサンプリングが行われる期間）内において、データ線に画像信号が供給される。尚、シリアル−パラレル変換されたＮ個の画像信号が供給される場合には、複数のデータ線を含むデータ線群毎にＮ個の画像信号が供給されてもよい。
【０００９】
プリチャージ信号生成回路は、所定電位のプリチャージ信号を生成する。ここで、所定電位は、プリチャージ信号が供給されるデータ線に電気的に接続された有効画素部に所定のタイミングで供給される画像信号の電位に近い電位に設定されている。
【００１０】
複数のデータ線には、例えば、データ線駆動回路を含む画像信号供給部の駆動に応じて画像信号が同時に供給される。各有効画素部では、例えば、走査線駆動回路から走査線を介して供給される走査信号に応じて画素電極が選択状態となり、スイッチング動作を行う画素スイッチング素子を介して、データ線より画像信号が画素電極に供給される。これにより、例えば表示素子である液晶素子は供給された画像信号に基づいて画像表示を行う。
【００１１】
プリチャージ信号供給手段は、有効画素部に供給される画像信号に先行して、実質的に画像表示に寄与しない画像信号（即ちダミー信号）をダミー画素部に供給すべきダミー信号供給期間に、選択的に前記プリチャージ信号を前記複数のデータ線に供給する。ここで、「選択的に」とは、ダミー画素部にプリチャージ信号を供給することなく、有効画素部が電気的に接続されたデータ線にプリチャージ信号を供給することをいう。したがって、有効画素部が電気的に接続されたデータ線に画像信号が供給されるタイミングに先行するダミー信号供給期間にこれらデータ線にプリチャージ信号が供給される。このようなタイミングでプリチャージ信号を供給することによって、有効水平走査期間に先行する帰線期間にデータ線にプリチャージを行なう場合に比べて、データ線にプリチャージ信号を供給するタイミングをデータ線に画像信号が供給されるタイミングにより近づけることが可能である。したがって、任意のデータ線に電気的に接続され、且つデータ線に沿って相隣接する有効画素部相互でリーク電流が生じうる時間を低減することができる。より具体的には、有効画素部に保持された電位（即ち有効画素部が有する画素電極に画像信号に応じて保持された電位）と異なる電位が、当該有効画素部が電気的に接続されたデータ線に供給されている期間を減らすことによって、有効画素部でリーク電流が生じる期間を低減できる。
【００１２】
よって、本発明の第１の発明に係る電気光学装置用駆動回路によれば、有効画素部におけるリーク電流が低減できるため、当該リーク電流に起因して生じる表示不良を低減でき、高品質の画像表示を行なうことが可能である。
【００１３】
本発明の第１の発明に係る電気光学装置用駆動回路の一の態様では、前記プリチャージ信号供給手段に電気的に接続された画像信号線を介して供給される画像信号をサンプリングすることによって前記画像信号を前記データ線に供給する複数のサンプリングスイッチを含むサンプリング回路とを備え、前記プリチャージ信号供給手段は、前記サンプリング回路が前記画像信号をサンプリングする際の基準となるサンプリングパルスの元になる転送パルスの幅よりも狭いパルス幅を持つと共にイネーブル信号供給線を介して供給されるイネーブル信号と、前記転送パルスとに基づいて前記サンプリングパルスを出力するイネーブル回路を有し、前記イネーブル回路は、前記ダミー信号供給期間において、前記複数のサンプリングスイッチのうち前記ダミー画素部に電気的に接続されたサンプリングスイッチを除く他のサンプリングスイッチを介して、前記複数のデータ線のうち前記有効画素部に電気的に接続されたデータ線に前記プリチャージ信号を供給してもよい。
【００１４】
この態様によれば、サンプリング回路は、画像信号線を介して供給される画像信号を複数のサンプリングスイッチによってサンプリングしてデータ線に対して供給する。
【００１５】
プリチャージ信号供給手段は、イネーブル回路を有している。イネーブル回路は、前記サンプリング回路が前記画像信号をサンプリングする際の基準となるサンプリングパルスの元になる転送パルスの幅よりも狭いパルス幅を持つと共にイネーブル信号供給線を介して供給されるイネーブル信号と、前記転送パルスとに基づいて前記サンプリングパルスを出力する。
【００１６】
イネーブル回路は、前記ダミー信号供給期間において、前記複数のサンプリングスイッチのうち前記ダミー画素部に電気的に接続されたサンプリングスイッチを除く他のサンプリングスイッチをオン状態に切り換えるための信号を当該他のサンプリングスイッチに供給し、ダミー画素部に電気的に接続されたサンプリングスイッチには、当該サンプリングスイッチをオフ状態のまま維持する信号を供給する。イネーブル回路から他のサンプリングスイッチに供給される信号は、ダミー信号が供給されるべきダミー信号供給期間に供給される。したがって、他のサンプリングスイッチを介して画像信号を有効画素部に供給するタイミングに先行して、有効画素部が電気的に接続されたデータ線にプリチャージ信号が供給される。即ち、帰線期間にプリチャージ信号を供給する場合に比べて、画像信号が供給されるタイミングにより近いタイミングでデータ線をプリチャージできる。
【００１７】
本発明の第１の発明に係る電気光学装置用駆動回路の他の態様では、前記プリチャージ信号生成回路は、前記基板上に形成された回路部を検査するために設けられた検査回路部であってもよい。
【００１８】
この態様によれば、データ線のプリチャージするために検査回路部を共用できるため、別途プリチャージ用回路を設ける場合に比べて、基板上に形成される回路部のレイアウトを簡便な構成にできる。
【００１９】
本発明に係る第２の発明に係る電気光学装置用駆動回路は上記課題を解決するために、基板上に、互いに交差して設けられた複数のデータ線及び複数の走査線と、前記データ線及び前記走査線の交差に対応して設けられた複数の画素部とを備えた電気光学装置を駆動するための電気光学装置用駆動回路であって、前記複数のデータ線に電気的に接続されており、前記複数の画素部に画像信号を供給する画像信号供給回路部と、前記基板上に前記画像信号供給部とは別に設けられ、且つ前記複数のデータ線に電気的に接続されており、前記画像信号供給回路部が前記複数のデータ線のうち一のデータ線に一の画像信号を供給してから、前記一のデータ線の次に他の画像信号が供給されるべき他のデータ線に前記他の画像信号が供給されるまでの期間に、前記他のデータ線にプリチャージ信号を供給するプリチャージ信号供給手段とを備える。
【００２０】
本発明の第２の発明に係る電気光学装置用駆動回路によれば、画像信号供給部によって、複数のデータ線には、有効水平走査期間（即ち、画像信号のサンプリングが行われる期間）内においてデータ線に画像信号が順次供給される。画像信号供給部は、例えば、データ線駆動回路及びサンプリング回路から構成され、データ線駆動回路によって、データ線に対応するサンプリングスイッチ毎に、サンプリング信号が順次供給される。すると、サンプリング回路によって、複数のデータ線には、サンプリング信号に応じてデータ線に画像信号が同時に供給される。尚、サンプリングスイッチは、例えば、片チャネル型のＴＦＴにより夫々構成され、ソースが分岐配線に電気的に接続され、ドレインがデータ線に電気的に接続され、ゲートにサンプリング信号が供給されることでオン状態となる。
【００２１】
このようにデータ線が駆動されると、各画素部では、例えば、走査線駆動回路から走査線を介して供給される走査信号に応じて画素電極が選択状態となり、スイッチング動作を行う画素スイッチング素子を介して、データ線より画像信号が画素電極に供給される。これにより、例えば表示素子である液晶素子は供給された画像信号に基づいて画像表示を行う。
【００２２】
プリチャージ信号供給手段は、前記基板上に前記画像信号供給部とは別に設けられ、且つ前記複数のデータ線に電気的に接続されており、前記画像信号供給回路部が前記複数のデータ線のうち一のデータ線に一の画像信号を供給してから、前記一のデータ線の次に他の画像信号が供給されるべき他のデータ線に前記他の画像信号が供給されるまでの期間に、前記他のデータ線にプリチャージ信号を供給する。より具体的には、例えば、画像信号を供給する第ｉ番目（他のデータ線に画像信号を供給する期間）の画像信号供給期間に先行すると共に第ｉ−１番目（一のデータ線に画像信号を供給する期間）の画像信号供給期間よりも後のプリチャージ期間において、画像信号供給部とは別に設けられたプリチャージ信号供給手段によって、データ線にプリチャージが行われる。プリチャージは、プリチャージタイミングに応じて、複数のデータ線に対して一斉に、或いはデータ線毎に行われる。
【００２３】
このようなプリチャージによれば、画素部に画像信号が供給される直前にプリチャージを行なうことができ、例えば帰線期間にプリチャージを行なう場合に比べて画素部における電流リークが発生する期間を短くすることができ、当該電気光学装置用駆動回路を備えた電気光学装置の表示性能を高めることが可能である。
【００２４】
本発明の第２の発明に係る電気光学装置用駆動回路では、前記プリチャージ信号供給手段は、転送信号を順次出力するシフトレジスタと、前記転送信号に基づいて生成されたサンプリング回路駆動信号に応じて、前記プリチャージ信号を前記他のデータ線に供給するサンプリングスイッチを含むサンプルホールド回路とを有していてもよい。
【００２５】
この態様によれば、プリチャージ信号供給手段が有するシフトレジスタは、例えば、画像信号供給部が有するシフトレジスタによって画像信号を各データ線に供給するための転送信号が供給される直前にデータ線にプリチャージを行なうことが可能である。尚、プリチャージ信号供給手段は、画像信号供給部が備える所定の回路部と同様の構成を有しており、データ線の両端のうち画像信号供給部が電気的に接続された一端と反対側に位置する他端に電気的に接続されている。
【００２６】
本発明の第３の発明に係る電気光学装置の駆動方法は上記課題を解決するために、基板上に、有効領域及びダミー領域を含む画素領域に互いに交差して設けられた複数のデータ線及び複数の走査線と、前記有効領域において、前記データ線及び前記走査線の交差に対応して設けられた有効画素部と、前記ダミー領域に設けられたダミー画素部とを備えた電気光学装置を駆動するための電気光学装置の駆動方法であって、所定電位のプリチャージ信号を生成するプリチャージ信号生成ステップと、前記ダミー画素部にダミー信号を供給するべきダミー信号供給期間に、選択的に前記プリチャージ信号を前記複数のデータ線に供給するプリチャージ信号供給ステップとを備える。
【００２７】
本発明の第３の発明に係る電気光学装置の駆動方法によれば、上述した本発明の第１の発明に係る電気光学装置用駆動回路と同様に、有効画素部における電流リークを低減でき、電気光学装置の表示性能を高めることが可能である。
【００２８】
本発明の第４の発明に係る電気光学装置の駆動方法は上記課題を解決するために、基板上に、互いに交差して設けられた複数のデータ線及び複数の走査線と、前記データ線及び前記走査線の交差に対応して設けられた複数の画素部とを備えた電気光学装置を駆動するための電気光学装置の駆動方法であって、前記複数のデータ線に電気的に接続された画像信号供給回路部によって、前記複数の画素部に画像信号を供給する画像信号供給ステップと、前記基板上に前記画像信号供給部とは別に設けられ、且つ前記複数のデータ線に電気的に接続されたプリチャージ信号供給手段によって、前記画像信号供給回路部が前記複数のデータ線のうち一のデータ線に一の画像信号を供給してから、前記一のデータ線の次に他の画像信号が供給されるべき他のデータ線に前記他の画像信号が供給されるまでの期間に、前記他のデータ線にプリチャージ信号を供給するプリチャージ信号供給ステップとを備える。
【００２９】
本発明の第４の発明に係る電気光学装置の駆動方法によれば、上述した本発明の第２の発明に係る電気光学装置用駆動回路と同様に、画素部における電流リークを低減でき、電気光学装置の表示性能を高めることが可能である。
【００３０】
本発明の第５の発明に係る電気光学装置は、上述した本発明の第１又は第２の発明に係る電気光学装置用駆動回路を備える。
【００３１】
本発明の第５の発明に係る電気光学装置によれば、本発明の第１又は第２の発明に係る電気光学装置用駆動回路を備えているため、表示性能に優れた電気光学装置を提供することができる。したがって、本発明の第５の発明に係る電気光学装置は、高品質の表示を行うことができる。
【００３２】
本発明の第６の発明に係る電子機器は上記課題を解決するために、上述した本発明の第５の発明に係る電気光学装置を具備してなる。
【００３３】
本発明に係る電子機器によれば、上述した本発明に係る電気光学装置を具備してなるので、高品位の表示が可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明に係る電子機器として、例えば電子ペーパなどの電気泳動装置等も実現することが可能である。
【００３４】
本発明のこのような作用及び他の利得は次に説明する実施形態から明らかにされる。
【発明を実施するための最良の形態】
【００３５】
以下では、本発明の実施形態について図を参照しつつ説明する。以下の実施形態では、本発明の第５の発明に係る電気光学装置の一例である駆動回路内蔵型のＴＦＴアクティブマトリクス駆動方式の液晶装置を例に挙げる。
【００３６】
＜第１実施形態＞
先ず、図１乃至図６を参照しながら、本発明の第１の発明に係る電気光学装置用駆動回路、第３の発明に係る電気光学装置の駆動方法、及び第５の発明に係る電気光学装置の各実施形態を説明する。
【００３７】
＜１−１：電気光学装置の全体構成＞
先ず、図１及び図２を参照して、本実施形態に係る液晶装置の全体構成について、説明する。ここに図１は、本実施形態に係る液晶装置の構成を示す平面図であり、図２は、図１のＩＩ−ＩＩ´線での断面図である。
【００３８】
図１及び図２において、本実施形態に係る液晶装置１では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、本発明の「画素領域」の典型例である画像表示領域１０ａの周囲に位置するシール領域に設けられたシール材５２により相互に接着されている。
【００３９】
図１において、シール材５２が配置されたシール領域の内側に並行して、画像表示領域１０ａの額縁領域を規定する遮光性の額縁遮光膜５３が、対向基板２０側に設けられている。周辺領域のうち、シール材５２が配置されたシール領域の外側に位置する領域には、データ線駆動回路１０１及び外部回路接続端子１０２がＴＦＴアレイ基板１０の一辺に沿って設けられている。この一辺に沿ったシール領域よりも内側に、サンプリング回路７が額縁遮光膜５３に覆われるようにして設けられている。また、走査線駆動回路１０４は、この一辺に隣接する２辺に沿ったシール領域の内側に、額縁遮光膜５３に覆われるようにして設けられている。また、ＴＦＴアレイ基板１０上には、対向基板２０の４つのコーナー部に対向する領域に、両基板間を上下導通材１０７で接続するための上下導通端子１０６が配置されている。これらにより、ＴＦＴアレイ基板１０と対向基板２０との間で電気的な導通をとることができる。
【００４０】
ＴＦＴアレイ基板１０上には、外部回接続端子１０２と、データ線駆動回路１０１、走査線駆動回路１０４、上下導通端子１０６等とを電気的に接続するための引回配線９０が形成されている。
【００４１】
図２において、ＴＦＴアレイ基板１０上には、駆動素子である画素スイッチング用のＴＦＴ（Thin Film Transistor）や走査線、データ線等の配線が作り込まれた積層構造が形成される。画像表示領域１０ａには、画素スイッチング用ＴＦＴや走査線、データ線等の配線の上層に画素電極９が設けられている。他方、対向基板２０におけるＴＦＴアレイ基板１０との対向面上に、遮光膜２３が形成されている。そして、遮光膜２３上に、ＩＴＯ等の透明材料からなる対向電極２１が複数の画素電極９と対向して形成される。
【００４２】
ＴＦＴアレイ基板１０は、石英やプラスチックなどの透明基板を用いて構成されていてもよいし、単結晶シリコン或いは単結晶シリコン化合物などからなる半導体基板を用いて構成されていてもよい。
【００４３】
尚、ＴＦＴアレイ基板１０に単結晶シリコンなどの半導体を用いた場合には、画素スイッチング用の素子としてトランジスタを形成することが可能である。
【００４４】
＜１−２：電気光学装置の主要部の構成＞
次に、この液晶装置の主要な構成について図３から図５を参照して説明する。ここに、図３は、当該液晶装置の要部の構成を示している。図４は、図３に示した構成のうち転送信号の整形に関する回路系を表している。図５は、第１変形例に係る図４と同趣旨の図である。尚、図４では、説明の便宜上一つの画像信号ＶＩＤとしてある。
【００４５】
図３において、液晶装置１は、例えば石英基板、ガラス基板或いはシリコン基板等からなるＴＦＴアレイ基板１０と対向基板２０（ここでは図示せず）とが液晶層を介して対向配置され、画像表示領域１０ａにおいて区画配列された画素電極９に印加する電圧を制御し、液晶層にかかる電界を画素毎に変調する構成となっている。これにより、両基板間の透過光量が制御され、画像が階調表示される。この液晶装置はＴＦＴアクティブマトリクス駆動方式を採り、ＴＦＴアレイ基板１０における画素表示領域１０ａには、マトリクス状に配置された複数の画素電極９と、互いに交差して配列された複数の走査線２及びデータ線３とが形成され、画素に対応する画素部が構築されている。
【００４６】
画像表示領域１０ａは、当該画像表示領域１０ａの中央よりの領域である有効領域１０ｅと、画像表示領域１０ａの端寄りの領域であるダミー領域１０ｄとを含んで構成されている。複数の有効画素部７０ｅの夫々は画素電極９ｅを有しており、有効領域１０ｅにマトリクス状に形成されている。複数のダミー画素部７０ｄの夫々は、画素電極９ｄを有しており、ダミー領域１０ｄに形成されている。有効画素部７０ｅは、液晶装置１の動作時に実質的に画像表示に寄与する画素部であり、データ線３を介して画像信号が供給される。ダミー画素部７０ｄは、液晶装置１の動作時に実質的に画像表示に寄与しない画素部であり、ダミー信号としての画像信号がデータ線３を介してダミー画素部７０ｄに供給される。
【００４７】
尚、ここでは図示しないが、各画素電極９とデータ線３との間には、走査線２を介して夫々供給される走査信号に応じて導通、非導通が制御されるＴＦＴや、画素電極９に印加した電圧を維持するための蓄積容量が形成されている。また、画像表示領域１０ａの周辺領域には、データ線駆動回路１０１等の駆動回路、外部回路接続端子１０２が形成されている。
【００４８】
液晶装置１は、本発明の「プリチャージ信号生成回路」の一例である検査回路２００、走査線駆動回路１０４、及びデータ線駆動回路１０１を備えている。
【００４９】
データ線駆動回路１０１は、シフトレジスタ５１、本発明の「プリチャージ信号供給手段」の一例であるイネーブル回路５５、及びサンプリング回路７を備えて構成されている。
【００５０】
シフトレジスタ５１は、データ線駆動回路１０１内に入力される所定周期のＸ側クロック信号ＣＬＸ（及びその反転信号ＣＬＸＢ）及びシフトレジスタスタート信号ＤＸに基づいて、各段から転送信号Ｐｉ（ｉ＝１、・・・、ｎ）を順次出力するように構成されている。
【００５１】
イネーブル回路５５は、液晶装置１の動作時に、転送信号Ｐｉ（ｉ＝１、・・・、ｎ）をイネーブル信号に基づいて整形し、それを基にして最終的にサンプリング回路駆動信号Ｓｉ（ｉ＝１、・・・、ｎ）を出力する機能を有している。
【００５２】
図４において、イネーブル回路５５はＡＮＤ回路５５Ａ及びＯＲ回路５５Ｄの２段で構成されている。ＡＮＤ回路５５Ａは、シフトレジスタ５１から入力される転送信号Ｐｉ（ｉ＝１、・・・、ｎ）と、４本のイネーブル供給線８１の夫々から供給されるイネーブル信号ＥＮＢ１〜ＥＮＢ４のうちの一つとの論理積を、サンプリング回路駆動信号Ｓｉ（ｉ＝１、・・・、ｎ）として出力するように構成されている。ＯＲ回路５５Ｄは、ＡＮＤ回路５５Ａの後段に設けられており、ＡＮＤ回路５５Ａの出力、及び、４本のイネーブル供給線８１の夫々からプリチャージ期間を規定するＮＲＧ信号（Noise Reduction Gate）が入力されるように構成され、これらの信号の少なくとも一方が入力されたときに“Ｈｉｇｈ"を出力する。尚、ＮＲＧ信号は、イネーブル供給線８１及び外部回路接続端子１０２を介して、ＴＦＴアレイ基板１０の外部の画像処理回路から供給される。転送信号Ｐｉ（ｉ＝１、・・・、ｎ）の波形は、よりパルス幅の狭いイネーブル信号ＥＮＢ１〜ＥＮＢ４の波形に基づいてトリミングされ、パルス幅がイネーブル信号のパルス幅に制限される。
【００５３】
後に詳細に説明するように、イネーブル回路５５は、有効画素部７０ｅに供給される画像信号に先行して、実質的に画像表示に寄与しない画像信号（即ちダミー信号）をダミー画素部７０ｄに供給すべきダミー信号供給期間に、プリチャージ信号を複数のデータ線３に供給するように、選択的にサンプリング回路７が有する複数のサンプリングスイッチ７１のオンオフを切り換える。
【００５４】
尚、イネーブル回路５５はトランスミッションゲートでも構成することができる。即ち、イネーブル信号がゲートに入力され、転送信号Ｐｉがソースに入力される（或いはその逆でもよい）ようなトランスミッションゲートを用いればよい。
【００５５】
サンプリング回路７は、画像信号線６に供給される画像信号ＶＩＤを、基準クロック信号であるサンプリング回路駆動信号Ｓｉ（ｉ＝１、・・・、ｎ）に応じてサンプリングし、夫々をデータ信号としてデータ線３に印加する。サンプリング回路７は、例えば図４に示したように、Ｐチャネル型又はＮチャネル型の片チャネル型ＴＦＴ若しくは相補型のＴＦＴから構成された複数のサンプリングスイッチ７１からなる。
【００５６】
尚、ここでは説明の簡便のために画像信号線６は一本とし、いずれのサンプリングスイッチ７１もこの画像信号線６から画像信号ＶＩＤを供給されるようにしたが、画像信号は、シリアル−パラレル展開（即ち、相展開）されていてもよい。図５に第１変形例として示すように、画像信号を画像信号ＶＩＤ１〜ＶＩＤ６の６相にシリアル−パラレル展開した場合、これらの画像信号は、６本の画像信号線を夫々介してサンプリング回路７に入力される。複数の画像信号線に対し、シリアルな画像信号を変換して得たパラレルな画像信号を同時供給すると、データ線３への画像信号入力をグループ毎に行うことができ、駆動周波数が抑えられる。
【００５７】
走査線駆動回路１０４は、マトリクス状に配置された複数の画素電極９をデータ信号及び走査信号により走査線２の配列方向に走査するために、走査信号印加の基準クロックであるＹ側クロック信号ＣＬＹ（及びその反転信号ＣＬＹＢ）及びシフトレジスタスタート信号ＤＹに基づいて生成される走査信号を、複数の走査線２に順次印加するように構成されている。その際には、各走査線２には、両端から同時に電圧が印加される。
【００５８】
尚、クロック信号ＣＬＸ等の各種タイミング信号は、図示しないタイミングジェネレータにて生成され、ＴＦＴアレイ基板１０上の各回路に供給される。また、各駆動回路の駆動に必要な電源電圧ＶＤＤＸ、ＶＤＤＹ等もまた外部回路から供給される。更に、上下導通端子１０６から引き出された信号線には、外部回路から対向電極電位ＬＣＣが供給される。対向電極電位ＬＣＣは、上下導通端子１０６を介して対向電極２１に供給される。対向電極電位ＬＣＣは、画素電極９との電位差を適正に保持して液晶保持容量を形成するための対向電極２１の基準電位となる。
【００５９】
図５において、本実施形態の液晶装置では、その駆動時には、画像信号ＶＩＤが画像信号線６に供給され、更に画像信号供給部１１０へと供給される。画像信号ＶＩＤの供給に応じて、画像信号供給部１１０によって、複数のデータ線３には、データ線群Ｄｉ毎に画像信号ＶＩＤが順次供給される。即ち、データ線群Ｄｉ毎に画像信号ＶＩＤを供給する画像信号供給期間が割り当てられる。
【００６０】
＜１−３：電気光学装置の駆動方法＞
次に、図３乃至図６を参照しながら、有効画素部７０ｅに行なわれるプリチャージを詳細に説明する。ここに図６は、本実施形態の液晶装置におけるプリチャージの動作を示すタイミングチャートである。
【００６１】
図３に示すように、画像信号供給回路部１１０は、本発明に係る「プリチャージ信号供給手段」の一例を構成するデータ線駆動回路１０１及びイネーブル回路５５と、サンプリング回路７とを含んで構成されている。イネーブル回路５５は、データ線群Ｄｉに対応するサンプリングスイッチ７１毎に、サンプリング回路駆動信号Ｓｉを順次供給する。サンプリング回路７によって、複数のデータ線３には、サンプリング回路駆動信号Ｓｉに応じてデータ線群Ｄｉ毎に画像信号ＶＩＤが同時に供給される。よって、同一のデータ線群Ｄｉに属するデータ線３は同時に駆動されることとなる。
【００６２】
このようにデータ線３が駆動されると、各有効画素部７０ｅでは、走査線駆動回路１０４から走査線２を介して供給される走査信号に応じて画素電極９ｅが選択状態となり、スイッチング動作を行う画素スイッチング素子を介して、データ線３より画像信号ＶＩＤが画素電極９ｅに供給される。これにより、表示素子である液晶素子は供給された画像信号ＶＩＤに基づいて画像表示を行う。以下では、説明を簡便にするために、イネーブル信号ＥＮＢ１に対応する画素部がダミー画素部７０ｄである場合を例に挙げて説明する。
【００６３】
図３、図４及び図６において、有効水平走査期間（即ち、画像信号のサンプリングが行われる期間）内において、イネーブル回路５５は、有効表示期間に先行するダミー信号供給期間、即ち、ダミー画素部７０ｄに対応して供給されるイネーブル信号ＥＮＢ１がイネーブル回路５５に供給される期間に、有効画素部７０ｅに一括でプリチャージ信号を供給する。
【００６４】
ここで、イネーブル信号ＥＮＢ１は、ダミー画素部７０ｄに電気的に接続されたサンプリングスイッチ７１がオン状態からオフ状態に切り換えられないように、Ｌｏｗ信号として供給される。即ち、ダミー信号供給期間におけるＥＮＢ１は、サンプリングスイッチ７１をオフ状態からオン状態に切り換えるＨｉｇｈ信号として供給されるイネーブル信号ＥＮＢ２〜ｎと異なる電位の信号として供給される。尚、ダミー信号供給期間は、有効水平走査期間のうち実際に画像信号が各データ線３に供給される有効表示期間に先行する期間であり、且つ帰線期間より後に到来する期間である。
【００６５】
複数のイネーブル信号供給線８１のうちＥＮＢ１，・・・，ｎをイネーブル回路５５に供給するイネーブル信号線８１は、ダミー信号供給期間において、イネーブル回路５５にＮＲＧ信号（図６中ＮＲＧ２，・・・，ｎ）を供給する。イネーブル回路５５は、ＮＲＧ信号ＮＲＧ２，・・・，ｎに応じて、有効画素部７０ｅに対応するサンプリングスイッチ７１にサンプリング信号を供給する。これにより、ダミー信号供給期間において、有効画素部７０ｅに電気的に接続されたサンプリングスイッチ７１がオフ状態からオン状態に切り換えられる。このとき、画像信号線６には、検査回路２００から所定電位のプリチャージ信号が供給されている。オン状態に切り換えられたサンプリングスイッチ７１は、プリチャージ信号をサンプリングし、有効画素部７０ｅに供給する。これにより、既に画像信号が供給された有効画素部７０ｅの画素電極９ｅの電位が、当該有効画素部７０ｅと共通のデータ線３を介して電気的に接続された他の有効画素部７０ｅの電位の影響を受けて変動することを低減できる。
【００６６】
より具体的には、共通のデータ線３に電気的に接続された有効画素部であって、互いに異なる走査信号によって画素スイッチング用ＴＦＴのオンオフが切り換えられる有効画素部間で、有効画素部が有する画素電極９ｅの電位相互の違いによって、これら有効画素部間で電流リークが生じることを低減できる。これにより、各画素電極９ｅにおいて画像信号に応じた画素電極の電位が、有効水平走査期間内で維持されることになり、画素電極９ｅの電位変動に起因する画質の低下が発生することを低減できる。
【００６７】
加えて、このような駆動方法によれば、帰線期間にデータ線にプリチャージ信号を供給する伝統的なプリチャージ方法に比べて、各有効画素部７０ｅが、当該有効画素部７０ｅが有する画素電極９ｅの電位と異なる電位の信号が供給されたデータ線３に電気的に接続されている期間を短縮できるため、より効果的に有効画素部７０ｅにおける電位変動を低減できる。
【００６８】
尚、有効画素部７０ｅにプリチャージ信号が供給された後には、各有効画素部７０ｅに画像信号が供給すべきタイミングに応じて、イネーブル信号ＥＮＢ２〜ｎがイネーブル回路５５に供給される。当該イネーブル信号によって、転送信号Ｐｉよりパルス幅が狭くなるように波形が整形されたサンプリング信号Ｓｉの夫々は、対応するサンプリングスイッチ７１に供給され、これらサンプリングスイッチ７１を介して画像信号が有効画素部７０ｅに供給され、所望の画像が画像表示領域１０ａに表示される。
【００６９】
また、本実施形態では、プリチャージ信号としてサンプリングされる信号が、検査回路２００から画像信号６に供給されている。したがって、別途プリチャージ用回路を設ける場合に比べて、ＴＦＴアレイ基板１０上に形成される回路部のレイアウトを簡便な構成にできる利点もある。
【００７０】
＜第２実施形態＞
次に、図７乃至図８を参照しながら、本発明の第２の発明に係る電気光学装置用駆動回路、及び本発明の第４の発明に係る電気光学装置の駆動方法を説明する。尚、以下では、第１実施形態と共通する部分に共通の参照符号を付し、詳細な説明を省略する。
【００７１】
＜２−１：電気光学装置の主要な構成＞
図７を参照しながら、本実施形態に係る電気光学装置用駆動回路を備えた電気光学装置の主要な構成を説明する。図７は、本実施形態に係る電気光学装置の一例である液晶装置の要部の回路構成を示したブロック図である。
【００７２】
図７において、本実施形態に係る液晶装置は、ＴＦＴアレイ基板１０上において、画像表示領域１０ａを介して画像信号供給回路部１１０の反対側に設けられており、本発明の第２の発明に係る「プリチャージ信号供給手段」の一例を構成するシフトレジスタ５１ａ、サンプルホールド回路７ａ、及びプリチャージ信号生成回路２０１を備えている点に特徴を有している。
【００７３】
画像信号供給回路１１０は、液晶装置の動作時に、シフトレジスタ５１からイネーブル回路５５に供給される転送信号と、イネーブル回路５５に供給されるイネーブル信号とに基づいてサンプリング信号を生成し、当該サンプリング信号によってオフ状態からオン状態に切り換えられる複数のサンプリングスイッチ７１を介して画像信号を各データ線３に供給する。これにより、画像信号に応じて各画素部７０における液晶の配向制御を行なわれ、画像表示領域１０ａに所望の画像が表示される。
【００７４】
サンプルホールド回路７ａは、データ線３の両端のうちサンプリング回路７が電気的に接続された端と反対側の端に電気的に接続されている。プリチャージ信号生成回路２０１は、サンプルホールド回路７ａに電気的に接続されており、サンプルホールド回路７ａによってサンプリングされるプリチャージ信号をサンプルホールド回路７ａに供給する。シフトレジスタ５１ａは、サンプルホールド回路７ａに電気的に接続されており、プリチャージ信号がサンプルホール回路７ａでサンプリングされるように所定のタイミングでサンプリング信号をサンプルホールド回路７ａに供給する。
【００７５】
本実施形態に係る液晶装置が備えた駆動回路によれば、後に詳細に説明するように、シフトレジスタ５１ａ、サンプルホールド回路７ａ、及びプリチャージ信号生成回路２０１の動作によって、各画素部に画像信号が供給される直前にデータ線３にプリチャージ信号が供給される。したがって、画像信号の供給に応じて維持される各画素電極９ａの電位の差に応じて、これら画素電極９ａに生じる電位の変動を低減でき、液晶装置の表示品位を高めることが可能である。
【００７６】
＜２−２：電気光学装置の駆動方法＞
次に、図７及び図８を参照しながら、本実施形態に係る電気光学装置用駆動回路によって行なわれる駆動方法を説明する。図８は、本実施形態に係る液晶装置におけるプリチャージの動作を示すタイミングチャートである。
【００７７】
図８において、本実施形態に係る液晶装置では、イネーブル回路５５には、外部回路からイネーブル信号線８１を介してイネーブル信号ＥＮＢ１〜ＥＮＢｎが供給される。イネーブル信号ＥＮＢ１〜ＥＮＢｎは、サンプリング回路７が画像信号ＶＩＤをサンプリングする際の基準となるサンプリング回路駆動信号Ｓｉの元になる転送パルスＰｉの幅よりも狭いパルス幅ｄ１を持っている。イネーブル回路５５は、イネーブル信号ＥＮＢ１〜ＥＮＢ４に応じて転送パルスＰｉの幅に制限をかけてサンプリング回路駆動信号Ｓｉとする。即ち、イネーブル回路５５は、イネーブル信号ＥＮＢ１〜ＥＮＢｎと転送パルスＰｉの論理積をとることにより、転送パルスＰｉの幅よりも狭いパルス幅であるイネーブル信号ＥＮＢ１〜ＥＮＢｎのパルス幅ｄ１のサンプリング回路駆動信号Ｓｉを生成する。
【００７８】
サンプルホールド回路７ａには、イネーブル信号供給線８１を介してイネーブル信号ＥＮＢ１〜ＥＮＢｎが供給されるタイミングに相前後して、シフトレジスタ５１ａからサンプリング信号Ｓａｉ（ｉ＝１，・・・，ｎ、ｎ；自然数）が供給される。より具体的には、ｉ番目のデータ線３に画像信号が供給されるタイミングを規定するイネーブル信号、即ちｉ番目のデータ線３に画像信号を供給するタイミングを規定するサンプリング回路駆動信号Ｓｉが供給される直前にサンプリング信号Ｓａｉがサンプルホールド回路７ａに供給される。
【００７９】
ここで、サンプルホールド回路７ａは、サンプリング回路７と同様の回路構成を有しているため、プリチャージ信号供給線８２を介して供給されるプリチャージ信号の下になる信号Ｐ´が、サンプリング信号Ｓａｉに応じてサンプルホール回路７ａにサンプリングされる。これにより、信号Ｐ´がプリチャージ信号Ｐｃｓとしてデータ線３に供給される。したがって、データ線３は、当該データ線３に供給されるべき画像信号が供給される直前にプリチャージされることになる。このようなプリチャージ信号Ｐｃｓの供給は、一有効走査期間において全てのデータ線３に行なわれる。
【００８０】
したがって、これまで帰線期間を利用して一括してプリチャージを行っていたのに対し、有効水平走査期間（画像信号のサンプリングが行われる期間）において、画像信号をデータ線３に供給する直前にプリチャージを行うことができる。これにより、帰線期間にプリチャージを行う場合に比べて、画素電極９ａの電位が他の画素電極９ａの電位（即ち有効走査期間に画像信号が供給される画素部の画素電極の電位）との電位によって変動することを低減でき、高品質な画像表示を行うことが可能となる。
【００８１】
以上、説明したように、第１実施形態及び第２実施形態の夫々における電気光学装置の駆動回路、及びそのような駆動回路によって実行される駆動方法によれば、画像信号に応じて画素電極に維持された画素電極電位の変動を低減でき、液晶装置等の電気光学装置の表示性能を高めることが可能である。
【００８２】
＜３：電子機器＞
次に、上述した電気光学装置である液晶装置を各種の電子機器に適用する場合について説明する。
【００８３】
まず、この液晶装置をライトバルブとして用いたプロジェクタについて説明する。図９は、プロジェクタの構成例を示す平面図である。この図９に示されるように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【００８４】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。そして、これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【００８５】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転することが必要となる。
【００８６】
なお、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【００８７】
また、本発明は、上述の実施形態で説明した液晶装置以外にも、シリコン基板上に素子を形成する反射型液晶装置（ＬＣＯＳ）、プラズマディスプレイ（ＰＤＰ）、電界放出型ディスプレイ（ＦＥＤ、ＳＥＤ）、有機ＥＬディスプレイ、デジタルマイクロミラーデバイス（ＤＭＤ）、電気泳動装置等にも適用可能である。
【図面の簡単な説明】
【００８８】
【図１】第１実施形態に係る液晶装置の構成を示す平面図である。
【図２】図１のＩＩ−ＩＩ´線での断面図である。
【図３】第１実施形態に係る液晶装置の要部の回路構成を示したブロック図である。
【図４】図３に示した構成のうち転送信号の整形に関する回路系を示したブロック図である。
【図５】第１変形例に係る図４と同趣旨の図である。
【図６】第１実施形態に係る電気光学装置の駆動方法におけるプリチャージの動作を示すタイミングチャートである。
【図７】第２実施形態に係る電気光学装置の要部の回路構成を示したブロック図である。
【図８】第２実施形態に係る液晶装置におけるプリチャージの動作を示すタイミングチャートである。
【図９】本実施形態に係る電子機器の一例であるプロジェクタの構成を示した平面図である。
【符号の説明】
【００８９】
１・・・液晶装置、７・・・サンプリング回路、７ａ・・・サンプルホールド回路、５１，５１ａ・・・シフトレジスタ、５５・・・イネーブル回路、２００・・・検査回路、２０１・・・プリチャージ信号生成回路
【図１】
2008122747.tif 000003
【図２】
2008122747.tif 000004
【図３】
2008122747.tif 000005
【図４】
2008122747.tif 000006
【図５】
2008122747.tif 000007
【図６】
2008122747.tif 000008
【図７】
2008122747.tif 000009
【図８】
2008122747.tif 000010
【図９】
2008122747.tif 000011